【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
プロセスデータにアクセスする方法であって、
フィールド機器に関連付けられるプロセスデータの要求を受信することと、
前記要求されたプロセスデータを含む記述子ファイルのデータベースを検索することと、
前記プロセスデータを取り出して、アプリケーション内に表示するために、前記記述子ファイルにアクセスすることと、
を含み、
前記プロセスデータは、前記プロセスデータが、前記記述子ファイル内に含まれるファイル本体のセクションの一部である、ファイルエントリによって参照されるオブジェクトに位置することを特定するスキーマを使用して、取り出される、
方法。
【請求項２】
前記記述子ファイルは、前記記述子ファイルのヘッダを前記フィールド機器に関連付けられる識別子と合致させることによって位置付けられる、請求項１に記載の方法。
【請求項３】
前記プロセスデータは、前記プロセスデータを生成する前記フィールド機器内のコンポーネントの第２の階層に対応する第１の階層で、前記記述子ファイル内に整理される、請求項１又は請求項２に記載の方法。
【請求項４】
前記フィールド機器に通信可能に接続される、プロセス制御システム内のコントローラから前記プロセスデータを受信することと、
前記スキーマに基づき、前記記述子ファイル内の前記ファイル本体を位置付けることと、
前記スキーマに基づき、前記プロセスデータに対応する前記セクションを位置付けることと、
前記スキーマに基づき、前記プロセスデータに対応する、前記セクション内の前記ファイルエントリを位置付けることと、
前記スキーマに基づき、前記プロセスデータに対応する、前記ファイルエントリ内の前記オブジェクトを位置付けることと、
前記オブジェクトに関連付けられる変数型によって特定されるフォーマットで、前記記述子ファイル内の前記オブジェクトの位置に前記プロセスデータを記憶することと、
をさらに含む、請求項１〜請求項３の何れか1項に記載の方法。
【請求項５】
前記記述子ファイルは、前記フィールド機器に関連付けられる電子デバイス記述言語（ＥＤＤＬ）ファイルを記述する、請求項１〜請求項４の何れか1項に記載の方法。
【請求項６】
前記記述子ファイルは、拡張マークアップ言語（ＸＭＬ）フォーマットに関連付けられ、前記スキーマは、ＸＭＬスキーマに関連付けられる、請求項１〜請求項５の何れか1項に記載の方法。
【請求項７】
前記記述子ファイルは、無線デバイスまたはワークステーションのうちの少なくとも１つ上に前記要求されたプロセスデータを表示するために、前記アプリケーションによって使用される、移植可能なファイルフォーマットに関連付けられる、請求項１〜請求項６の何れか1項に記載の方法。
【請求項８】
前記ファイル本体は、前記ファイル本体の識別子を示すファイル記述を含む、請求項１〜請求項７の何れか1項に記載の方法。
【請求項９】
前記オブジェクトは、第２のオブジェクトをリストする第２のファイルエントリを有する、第２のセクションを含む、請求項１〜請求項８の何れか1項に記載の方法。
【請求項１０】
前記オブジェクトは、数式での、前記プロセスデータを使用して値を計算する式を含む、請求項１〜請求項９の何れか1項に記載の方法。
【請求項１１】
前記オブジェクトは、前記プロセスデータがどのように表示されるかを命令する、表示変換を含む、請求項１〜請求項１０の何れか1項に記載の方法。
【請求項１２】
ヘッダは、製造業者名、前記フィールド機器の種類、前記フィールド機器の主バージョン、前記フィールド機器の副バージョン、前記フィールド機器の保守バージョン、前記フィールド機器の構築バージョン、または前記フィールド機器のモデル番号のうちの少なくとも１つを含む、請求項１〜請求項１１の何れか1項に記載の方法。
【請求項１３】
プロセスデータにアクセスする装置であって、
プロセス制御システム内のフィールド機器に由来する、要求されたプロセスデータを含む記述子ファイルについて、データベースを検索する、ファイルプロセッサと、
前記プロセスデータを取り出して、アプリケーション内に表示するために、前記記述子ファイルにアクセスする、プロセスデータリーダであって、前記プロセスデータは、前記記述子ファイル内に含まれるファイル本体のセクションの一部である、ファイルエントリによって参照されるオブジェクトに位置する、プロセスデータリーダと、
を備える、装置。
【請求項１４】
前記プロセスデータリーダは、前記記述子ファイルを通じて前記プロセスデータの前記位置にナビゲートするように、前記プロセスデータが前記フィールド機器内で生成されるデータ構造の関係を使用して、前記プロセスデータを取り出す、請求項１３に記載の装置。
【請求項１５】
前記フィールド機器に通信可能に接続されるコントローラから、前記プロセスデータを受信し、
前記プロセスデータ内の識別子を使用して、前記記述子ファイルを位置付け、
前記プロセスデータに対応する、前記記述子ファイル内の前記ファイル本体を位置付け、
前記プロセスデータに対応する、前記セクションを位置付け、
前記プロセスデータに対応する、前記セクション内の前記ファイルエントリを位置付け、
前記プロセスデータに対応する、前記ファイルエントリ内の前記オブジェクトを位置付け、
前記オブジェクトに関連付けられる変数型によって特定されるフォーマットで、前記オブジェクトの位置に前記プロセスデータを記憶する、
データベースインターフェースをさらに備える、請求項１３又は請求項１４に記載の装置。
【請求項１６】
前記記述子ファイルは、プロセスデータ型に基づき、前記プロセスデータの前記位置を特定するスキーマに準拠する、請求項１３〜請求項１５の何れか1項に記載の装置。
【請求項１７】
前記ファイルプロセッサは、前記記述子ファイルのヘッダを前記要求内に含まれる前記フィールド機器に関連付けられる識別子と合致させることによって、前記記述子ファイルを位置付けるものである、請求項１３〜請求項１６の何れか1項に記載の装置。
【請求項１８】
実行される際、機械に、少なくとも、
フィールド機器に関連付けられるプロセスデータの要求を受信させ、
前記要求されたプロセスデータを含む、普遍的プロセス制御ファイルフォーマットに準拠する記述子ファイルについて、データベースを検索させ、
前記プロセスデータを取り出して、アプリケーション内に表示するために、前記記述子ファイルにアクセスさせる、
その上に記憶された命令を有する、機械がアクセス可能な媒体であって、
前記プロセスデータは、前記プロセスデータが、前記記述子ファイル内に含まれるファイル本体のセクションの一部である、ファイルエントリによって参照されるオブジェクトに位置することを特定する、前記普遍的プロセス制御ファイルフォーマットを使用して取り出される、
機械がアクセス可能な媒体。
【請求項１９】
前記命令は、実行される際、前記機械に、
前記フィールド機器に通信可能に接続されるコントローラから、前記プロセスデータを受信させ、
前記プロセスデータ内の識別子を使用して、前記記述子ファイルを位置付けさせ、
前記プロセスデータに対応する、前記記述子ファイル内の前記ファイル本体を位置付けさせ、
前記プロセスデータに対応する、前記セクションを位置付けさせ、
前記プロセスデータに対応する、前記セクション内の前記ファイルエントリを位置付けさせ、
前記プロセスデータに対応する、前記ファイルエントリ内の前記オブジェクトを位置付けさせ、
前記オブジェクトに関連付けられる変数型によって特定されるフォーマットで、前記オブジェクトの位置に前記プロセスデータを記憶させる、
請求項１８に記載の機械がアクセス可能な媒体。
【請求項２０】
記述子ファイルを作成する方法であって、
前記記述子ファイル内に記憶される、フィールド機器によって送信されるプロセスデータを受信することと、
前記プロセスデータの間の関係を判定することと、
前記記述子ファイルのファイル本体を作成することと、
前記フィールド機器に関連付けられる、いくつかのコンポーネントに基づき、前記記述子ファイルに関連付けられる各物理ファイルのオープンファイル記述を作成することと、
プロセスデータの関連部分を含む、前記オープンファイル記述のセクションを作成することと、
前記セクション内にファイルエントリを作成することと、
前記ファイルエントリ内に記憶されるプロセスデータ型に基づき、オブジェクトの型を選択することと、
前記選択されたオブジェクトの型に関連付けられるオブジェクトを、前記ファイルエントリに割り当てることと、
前記プロセスデータを前記オブジェクトに記憶することと、
を含む、方法。
【請求項２１】
前記プロセスデータの間の前記関係を判定することは、
前記フィールド機器に対応する電子デバイス記述言語（ＥＤＤＬ）ファイルに基づき、前記プロセスデータに関連付けられる階層を判定することと、
前記プロセスデータのどの部分が前記フィールド機器のコンポーネントに関連付けられるかを判定することと、
前記プロセスデータの前記型を識別することと、
を含む、請求項２０に記載の方法。